(57)【要約】【課題】静止画像のアスペクト比に拘わらず、元のアスペクト比が維持された静止画像変換動画像を生成する。【解決手段】静止画像変換動画像を生成するとき、ディスクに対して設定されているアスペクト比が１６：９であって、静止画像のアスペクト比が４：３である場合には、図３Ｃに示すように、復号結果の静止画像の左右に黒帯を付加する。また、ディスクに対して設定されているアスペクト比が４：３であって、静止画像のアスペクト比が１６：９である場合には、図３Ｂに示すように、復号結果の静止画像の上下に黒帯を付加する。本発明は、静止画像も撮像できるデジタルビデオカメラに適用できる。【選択図】図３
2007180739.tif 000002
【特許請求の範囲】
【請求項１】
静止画像を動画像用の符号化方式に従って符号化し、その結果得られる静止画像変換動画像を記録媒体に記録する画像データ記録装置において、
前記記録媒体に設定されているアスペクト比を読み出す読み出し手段と、
前記静止画像のアスペクト比を取得し、取得した前記静止画像の前記アスペクト比が読み出された前記記録媒体に設定されている前記アスペクト比と一致するか否かを判定する判定手段と、
前記判定手段の判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成する符号化手段と、
前記静止画像変換動画像を前記記録媒体に記録する記録手段と
を含む画像データ記録装置。
【請求項２】
前記静止画像は、前記記録媒体に記録されている
請求項１に記載の画像データ記録装置。
【請求項３】
前記符号化手段は、前記判定手段によって、取得された前記静止画像の前記アスペクト比が読み出された前記記録媒体に設定されている前記アスペクト比と一致すると判定された場合、前記静止画像に前記補間領域を付加することなく前記補間領域付加静止画像を生成し、取得された前記静止画像の前記アスペクト比が読み出された前記記録媒体に設定されている前記アスペクト比と一致しないと判定された場合、前記静止画像の上下または左右に補間領域を付加して、前記記録媒体に設定されている前記アスペクト比とアスペクト比が一致する補間領域付加静止画像を生成する
請求項１に記載の画像データ記録装置。
【請求項４】
動画像を撮像して、対応する画像データを生成する撮像手段を
さらに含む請求項１に記載の画像データ記録装置。
【請求項５】
前記記録媒体は、着脱可能である
請求項１に記載の画像データ記録装置。
【請求項６】
前記記録媒体は、DVD+RW（Digital Versatile Disc + ReWritable）である
請求項１に記載の画像データ記録装置。
【請求項７】
静止画像を動画像用の符号化方式に従って符号化し、その結果得られる静止画像変換動画像を記録媒体に記録する画像データ記録装置の画像データ記録方法において、
前記記録媒体に設定されているアスペクト比を読み出し、
前記静止画像のアスペクト比を取得し、取得した前記静止画像の前記アスペクト比が読み出された前記記録媒体に設定されている前記アスペクト比と一致するか否かを判定し、
この判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成し、
前記静止画像変換動画像を前記記録媒体に記録する
ステップを含む画像データ記録方法。
【請求項８】
静止画像を動画像用の符号化方式に従って符号化し、その結果得られる静止画像変換動画像を記録媒体に記録するためのプログラムであって、
前記記録媒体に設定されているアスペクト比を読み出し、
前記静止画像のアスペクト比を取得し、取得した前記静止画像の前記アスペクト比が読み出された前記記録媒体に設定されている前記アスペクト比と一致するか否かを判定し、
この判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成し、
前記静止画像変換動画像を前記記録媒体に記録する
ステップを含む処理をコンピュータに実行させるプログラム。
【発明の詳細な説明】
【技術分野】
【０００１】
本発明は、画像データ記録装置、画像データ記録方法、およびプログラムに関し、特に、記録媒体に動画像と静止画像の両方を記録し、動画像再生装置によっても静止画像が再生できるようにする画像データ記録装置、画像データ記録方法、およびプログラムに関する。
【背景技術】
【０００２】
近年、DVD(Digital Versatile Disc)を記録媒体として用いるデジタルビデオカメラが存在する。このようなデジタルビデオカメラでは、動画像のみならず静止画像も撮像可能であって、動画像と静止画像の両方をDVDに記録するようになされている。
【０００３】
このようなデジタルビデオカメラでは、動画像だけを再生することができる他のDVDプレーヤを用いた場合においても、DVDに記録した静止画像を再生できるように、１枚以上の静止画像が連続的に表示される動画像を生成して、この動画像（以下、静止画像変換動画像と称する）もDVDに記録するようになされている（特許文献１参照）。
【０００４】
【特許文献１】特開２００４−２０１１７０号公報
【発明の開示】
【発明が解決しようとする課題】
【０００５】
しかしながら、特許文献１に代表される従来の方法では、アスペクト比が４：３の静止画像だけを用いて、アスペクト比が４：３の静止画像変換動画像を生成できるだけであり、アスペクト比が異なる複数の静止画像を用いて静止画像変換動画像を生成することができなかった。
【０００６】
本発明はこのような状況に鑑みてなされたものであり、静止画像のアスペクト比に拘わらず、元のアスペクト比が維持された静止画像変換動画像を生成できるようにするものである。
【課題を解決するための手段】
【０００７】
本発明の一側面である画像データ記録装置は、静止画像を動画像用の符号化方式に従って符号化し、その結果得られる静止画像変換動画像を記録媒体に記録する画像データ記録装置において、前記記録媒体に設定されているアスペクト比を読み出す読み出し手段と、前記静止画像のアスペクト比を取得し、取得した前記静止画像の前記アスペクト比が読み出された前記記録媒体に設定されている前記アスペクト比と一致するか否かを判定する判定手段と、前記判定手段の判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成する符号化手段と、前記静止画像変換動画像を前記記録媒体に記録する記録手段とを含む。
【０００８】
前記静止画像は、前記記録媒体に記録されているようにすることができる。
【０００９】
前記符号化手段は、前記判定手段によって、取得された前記静止画像の前記アスペクト比が読み出された前記記録媒体に設定されている前記アスペクト比と一致すると判定された場合、前記静止画像に前記補間領域を付加することなく前記補間領域付加静止画像を生成し、取得された前記静止画像の前記アスペクト比が読み出された前記記録媒体に設定されている前記アスペクト比と一致しないと判定された場合、前記静止画像の上下または左右に補間領域を付加して、前記記録媒体に設定されている前記アスペクト比とアスペクト比が一致する補間領域付加静止画像を生成するようにすることができる。
【００１０】
動画像を撮像して、対応する画像データを生成する撮像手段をさらに含むことができる。
【００１１】
前記記録媒体は、着脱可能とすることができる。
【００１２】
前記記録媒体は、DVD+RWとすることができる。
【００１３】
本発明の一側面である画像データ記録方法は、静止画像を動画像用の符号化方式に従って符号化し、その結果得られる静止画像変換動画像を記録媒体に記録する画像データ記録装置の画像データ記録方法において、前記記録媒体に設定されているアスペクト比を読み出し、前記静止画像のアスペクト比を取得し、取得した前記静止画像の前記アスペクト比が読み出された前記記録媒体に設定されている前記アスペクト比と一致するか否かを判定し、この判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成し、前記静止画像変換動画像を前記記録媒体に記録するステップを含む。
【００１４】
本発明の一側面であるプログラムは、静止画像を動画像用の符号化方式に従って符号化し、その結果得られる静止画像変換動画像を記録媒体に記録するためのプログラムであって、前記記録媒体に設定されているアスペクト比を読み出し、前記静止画像のアスペクト比を取得し、取得した前記静止画像の前記アスペクト比が読み出された前記記録媒体に設定されている前記アスペクト比と一致するか否かを判定し、この判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成し、前記静止画像変換動画像を前記記録媒体に記録するステップを含む処理をコンピュータに実行させる。
【００１５】
本発明の一側面においては、静止画像のアスペクト比が記録媒体に設定されているアスペクト比と一致するか否かが判定され、この判定結果に基づき、静止画像の上下または左右に補間領域を付加して、記録媒体に設定されているアスペクト比とアスペクト比が一致する補間領域付加静止画像が生成されて動画像用の符号化方式に従って符号化され、この結果得られる静止画像変換動画像が記録媒体に記録される。
【発明の効果】
【００１６】
以上のように、本発明の一側面によれば、静止画像のアスペクト比に拘わらず、元のアスペクト比が維持された静止画像変換動画像を生成することが可能となる。
【発明を実施するための最良の形態】
【００１７】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面である画像データ記録装置は、静止画像を動画像用の符号化方式に従って符号化し、その結果得られる静止画像変換動画像を記録媒体（例えば、図１のディスク５９）に記録する画像データ記録装置（例えば、図１のデジタルビデオカメラ１）において、前記記録媒体に設定されているアスペクト比を読み出す読み出し手段（例えば、図１のアスペクト比設定部４１）と、前記静止画像のアスペクト比を取得し、取得した前記静止画像の前記アスペクト比が読み出された前記記録媒体に設定されている前記アスペクト比と一致するか否かを判定する判定手段（例えば、図１の静止画像変換動画像生成制御部４２）と、前記判定手段の判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成する符号化手段（例えば、図１の符号化／復号部２１）と、前記静止画像変換動画像を前記記録媒体に記録する記録手段（例えば、図１のディスクインタフェース２３）とを含む。
【００１９】
動画像を撮像して、対応する画像データを生成する撮像手段（例えば、図１の撮像部１０）をさらに含むことができる。
【００２０】
本発明の一側面である画像データ記録方法は、静止画像を動画像用の符号化方式に従って符号化し、その結果得られる静止画像変換動画像を記録媒体（例えば、図１のディスク５９）に記録する画像データ記録装置（例えば、図１のデジタルビデオカメラ１）の画像データ記録方法において、前記記録媒体に設定されているアスペクト比を読み出し（例えば、図２のステップＳ２）、前記静止画像のアスペクト比を取得し、取得した前記静止画像の前記アスペクト比が読み出された前記記録媒体に設定されている前記アスペクト比と一致するか否かを判定し（例えば、図２のステップＳ４およびＳ５）、この判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成し（例えば、図２のステップＳ７およびＳ８）、前記静止画像変換動画像を前記記録媒体に記録する（例えば、図２のステップＳ９）ステップを含む。
【００２１】
本発明の一側面であるプログラムは、静止画像を動画像用の符号化方式に従って符号化し、その結果得られる静止画像変換動画像を記録媒体（例えば、図１のディスク５９）に記録するためのプログラムであって、前記記録媒体に設定されているアスペクト比を読み出し（例えば、図２のステップＳ２）、前記静止画像のアスペクト比を取得し、取得した前記静止画像の前記アスペクト比が読み出された前記記録媒体に設定されている前記アスペクト比と一致するか否かを判定し（例えば、図２のステップＳ４およびＳ５）、この判定結果に基づき、前記静止画像の上下または左右に補間領域を付加して、前記記録媒体に設定されている前記アスペクト比とアスペクト比が一致する補間領域付加静止画像を生成し、前記補間領域付加静止画像を動画像用の符号化方式に従って符号化し、前記静止画像変換動画像を生成し（例えば、図２のステップＳ７およびＳ８）、前記静止画像変換動画像を前記記録媒体に記録する（例えば、図２のステップＳ９）ステップを含む処理をコンピュータに実行させる。
【００２２】
以下、本発明を適用した具体的な実施の形態について、図面を参照しながら詳細に説明する。
【００２３】
図１は、本発明の一実施の形態であるデジタルビデオカメラの構成例を示している。このデジタルビデオカメラ１は、動画像および静止画像をそれぞれ４:３または１６:９のアスペクト比で撮像し、その結果得られる動画像データおよび静止画像データを記録媒体であるディスク５９に記録するものである。
【００２４】
デジタルビデオカメラ１は、主に、被写体を撮像して画像信号と対応する音声信号を取得する撮像部１０、画像信号と音声信号を符号化してディスク５９に記録し、また読み出して再生する記録再生処理部２０、および、撮像部１０と記録再生処理部２０を制御する制御部３０から構成される。
【００２５】
撮像部１０は、光学ブロック１１、カメラ制御部１２、信号変換部１３、撮像信号処理部１４、音声入力部１５、および音声信号処理部１６を備える。光学ブロック１１は、被写体を撮像するためのレンズ群、絞り調整機構、フォーカス調整機構、ズーム機構、シャッタ機構、フラッシュ機構、および、手ぶれ補正機構などを内蔵する。カメラ制御部１２は、制御部３０からの制御信号に従い、光学ブロック１１に対してズーム制御、シャッタ制御、および、露出制御などを行なうための制御信号を生成して光学ブロック１１に出力する。
【００２６】
信号変換部１３は、例えばCCD(Charge Coupled Device)あるいはCMOS(Complementary Metal-Oxide Semiconductor)などの撮像素子より成り、その結像面に、光学ブロック１１を介して入力される被写体の光学像が集束される。この信号変換部１３は、シャッタ操作に対応して制御部３０から供給される画像取り込みタイミング信号に従い、結像面に集束されている被写体の光学像を電気信号である撮像信号に変換し、撮像信号処理部１４に出力する。
【００２７】
撮像信号処理部１４は、制御部３０からの制御信号に従い、撮像信号に対するガンマ補正やAGC（Auto Gain Control）などの処理を行なうとともに、アナログの撮像信号をデジタル化する処理も行なう。音声入力部１５は、撮影時の被写体周辺の音声を収集して音声信号に変換し、音声信号処理部１６に出力する。音声信号処理部１６は、制御部３０からの制御信号に従い、音声信号に対する補正やAGCなどの処理を行なうとともに、アナログ信号である音声信号をデジタル化する処理も行なう。
【００２８】
記録再生処理部２０は、符号化／復号部２１、ディスクインタフェース(I/F)２３、出力処理部２４、バッファメモリ２５から構成される。
【００２９】
符号化／復号部２１は、制御部３０からの制御信号に従い、撮像信号処理部１４から入力される画像信号に対して、ホワイトバランス制御、露出補正制御、デジタルズーム倍率に応じた拡大制御などを行なうとともに、撮像部１０から入力される画像信号および音声信号を、所定の方式（例えば、動画像信号および音声信号に対してはMPEG(Moving Picture Experts Group)2方式、静止画像に対してはJPEG(Joint Photographic Experts Group)方式）で符号化し、その結果得られる符号化データをディスクインタフェース２３に出力する。また、符号化／復号回路２１は、ディスクインタフェース２３によってディスク５９から読み出される符号化データを復号し、その結果得られる画像信号および音声信号を出力処理部２４に供給する。さらに、符号化／復号回路２１は、ディスクインタフェース２３によってディスク５９に記録された１枚以上の静止画像の符号化データ（例えば、JPEGデータ）を連続的に復号し、再び動画像用の所定の方式（いまの場合、例えば、MPEG2方式）に従って符号化することにより、静止画像変換動画像の符号化データ（MPEG2データ）を生成してディスクインタフェース２３に出力する。
【００３０】
ディスクインタフェース２３は、制御部３０からの制御に対応し、符号化／復号部２１から入力される符号化データをディスク５９に記録する。また、ディスクインタフェース２３は、ディスク５９から圧縮データを読み出して符号化／復号部２１に供給する。出力処理部２４は、制御部３０からの制御により、符号化／復号部２１からの圧縮データを制御部３０や出力端子２７乃至２９に供給する。バッファメモリ２５は、例えばSDRAM(Synchronous Dynamic Random Access Memory)などから成り、符号化／復号部２１における符号化または復号のための作業領域として利用される。また、バッファメモリ２５は、符号化／復号部２１によって符号化された符号化データをディスクインタフェース２３に出力するまで待機させる待機領域としても使用される。
【００３１】
制御部３０は、CPU(Central Processing Unit)３１と、ROM(Read Only Memory)３３、RAM３４、操作入力部５１から入力される操作信号をCPU３１に中継する操作入力インタフェース３５、表示部５２を接続するための表示制御部３６、メモリカード５３を装着するためのメモリカードインタフェース３７、手ぶれ補正のために角速度を検出する角速度検出部３８、撮影時刻を取得するための時計部３９、ディスク５９のフォーマットを決定するフォーマット決定部４０、および、画像のアスペクト比を設定するアスペクト比設定部４１がシステムバス３２を介して接続されることにより構成されている。
【００３２】
CPU３１はROM３３に記録されている制御用プログラムを実行することにより、デジタルビデオカメラ１の全体を制御するものであり、作業領域としてRAM３４を使用する。ROM３３には、撮像部１０を制御するためのプログラムや、画像信号や音声信号の記録制御および再生制御などを実行するためのプログラムが予め書き込まれている。
【００３３】
メモリカードインタフェース３７は、符号化／復号部２１からの圧縮データをメモリカード５３に書き込む。また、メモリカードインタフェース３７は、メモリカード５３から圧縮データを読み出して符号化／復号部２１に供給する。時計部３９は、年、月、日、時間、分、秒などを表わす時間情報を生成する。
【００３４】
角速度検出部３８は、デジタルビデオカメラ１に対して外部から加わる角速度を検出するジャイロスコープを内蔵している。このジャイロスコープによって検出される角速度情報［ω＝（θ／秒）］は、所定間隔毎にCPU３１に通知され、光学ブロック１１の手ブレ補正機構の制御に利用される。
【００３５】
フォーマット決定部４０は、ディスクインタフェース２３に装着されたディスク５９がフォーマット済であるか否かを判定するとともに、未フォーマットである場合、ユーザからの選択に基づいてフォーマットの種類を決定する。アスペクト比設定部４１は、動画像および静止画像のアスペクト比を、ユーザによる選択や既にディスク５９に対して記録されている情報に基づいて設定する。静止画像変換動画像生成制御部４２は、符号化／復号部２１に対して静止画像変換動画像生成を実行させる。
【００３６】
操作入力部５１には、撮影モードと再生モードなどの他のモードとを切り換えるモード切り換えキー、ズーム調整キー、露出調整のためのキー、静止画撮影用のシャッタキー、動画撮影用の録画キー、表示部５２における表示調整キー、表示部５２の画面上のカーソルを移動、決定させるキーなどの複数のキーが設けられており、ユーザによってキーが操作されたことに対応して操作信号を操作入力インタフェース３５に出力する。この操作信号は操作入力インタフェース３５によってCPU３１に中継され、CPU３１は、この操作信号に基づき、操作入力部５１においていずれのキーが操作されたかを判別し、その判別結果に応じた制御処理を行なう。
【００３７】
表示部５２は、例えばLCD(Liquid Crystal Display)などより成り、表示制御部３６を介して入力されるCPU３１の制御からの制御信号に基づき、撮像部１０の撮像信号処理部１４から出力される画像信号（スルー画像）や、ディスク５９から読み出された画像信号（再生画像）に対応する画像を表示する。なお、スルー画像や再生画像には、デジタルビデオカメラ１の状況(例えば、バッテリの残量、設定中のアスペクト比)を示すアイコンなどが重畳して表示される。また、表示部５２は、例えば、フォーマットの種類、アスペクト比の種類、録画モードの種類などをユーザが選択するための操作画面も表示する。
【００３８】
ディスク５９は、ディスクインタフェース２３に対して着脱可能な記録媒体であり、その種類としてはDVD-R(Recordable)、DVD-RW(ReWritable)、およびDVD+RWが利用可能である。なお、このデジタルビデオカメラ１は、DVD+RWディスクに対する記録フォーマットとしてはDVD+VRフォーマット（以下、+VRフォーマットと称する）で初期化することが可能であり、DVD-RWディスクに対してはDVD-VRフォーマット（以下、-VRフォーマットと称する）またはDVD-VIDEOフォーマット（以下、VIDEOフォーマットと称する）で初期化することが可能である。DVD-Rディスクに対する初期化は不要である。
【００３９】
DVD+RWに対応する+VRフォーマットでは、１枚のDVD+RWディスクに対して、その所定の領域に動画像のアスペクト比を１種類だけ記録する（具体的には、１６：９または４：３を示す情報を記録する）ように規定されている。すなわち、アスペクト比の異なる複数の動画像データが１枚のディスクの中に記録できないように規定されている。
【００４０】
ただし、静止画像については、DVD+RWであるディスク５９に対して設定されているアスペクト比には拘わりなく、アスペクト比が１６:９の静止画像の符号化データとアスペクト比が４：３の静止画像の符号化データを混在して記録することができる。
【００４１】
次に、デジタルビデオカメラ１の動作を説明する。
【００４２】
図２は、デジタルビデオカメラ１による静止画変換画像生成処理を説明するフローチャートである。この静止画変換画像生成処理は、ユーザからの所定の操作により、静止画変換画像の生成が指示されたときに開始される。以下、ディスク５９がDVD+RWである場合について説明する。なお、ディスク５９には既に静止画の符号化データ（例えば、JPEGデータ）が記録されているものとする。
【００４３】
ステップＳ１において、静止画像変換動画像生成制御部４２は、ディスクインタフェース２３を制御して、ディスク５９に記録されている静止画像の総数Ｍを取得する。ステップＳ２において、アスペクト比設定部４１は、ディスクインタフェース２３を制御して、ディスク５９に対して設定されているアスペクト比（ディスク５９の所定の領域に記録されているアスペクト比）、すなわち、ディスク５９に記録される動画像に対して統一されたアスペクト比を読み出し、静止画像変換動画像生成制御部４２に通知する。ステップＳ３において、静止画像変換動画像生成制御部４２は、ディスク５９に記録されている静止画像を特定するためのパラメータｎを１に初期化する。
【００４４】
ステップＳ４において、符号化／復号部２１は、静止画像変換動画像生成制御部４２の制御に従い、ディスクインタフェース２３を介して、ディスク５９に記録されているｎ枚目の静止画像の符号化データを取得し、そのアスペクト比を検出して静止画像変換動画像生成制御部４２に通知する。ステップＳ４において、静止画像変換動画像生成制御部４２は、ディスク５９に対して設定されているアスペクト比と、ｎ枚目の静止画像のアスペクト比とが同一であるか否かを判定する。
【００４５】
ステップＳ５において、ディスク５９に対して設定されているアスペクト比と、ｎ枚目の静止画像のアスペクト比とが同一であると判定された場合、処理はステップＳ６に進められる。ステップＳ６において、符号化／復号部２１は、静止画像変換動画像生成制御部４２の制御に従い、ｎ枚目の静止画像の符号化データを復号する。ここで得られる静止画像は、図３Ａまたは図３Ｄに示すように、上下または左右に黒帯が付加されていない静止画像である。この後、処理はステップＳ８に進められる。
【００４６】
反対に、ステップＳ５において、ディスク５９に対して設定されているアスペクト比と、ｎ枚目の静止画像のアスペクト比とが同一ではないと判定された場合、処理はステップＳ７に進められる。ステップＳ７において、符号化／復号部２１は、静止画像変換動画像生成制御部４２の制御に従い、ｎ枚目の静止画像の符号化データを復号し、復号結果として得られた静止画像の上下または左右に黒帯を付加する。
【００４７】
具体的には、ディスク５９に対して設定されているアスペクト比が１６：９であって、ｎ枚目の静止画像のアスペクト比が４：３である場合には、図３Ｃに示すように、復号結果の静止画像の左右に黒帯を付加する。また、ディスク５９に対して設定されているアスペクト比が４：３であって、ｎ枚目の静止画像のアスペクト比が１６：９である場合には、図３Ｂに示すように、復号結果の静止画像の上下に黒帯を付加する。この後、処理はステップＳ８に進められる。
【００４８】
なお、復号結果の画像に黒帯を付加するのではなく、全体が黒色の背景画像上にｎ枚目の静止画像を貼り付けるようにしてもよい。また、付加する帯の色、あるいは背景画像の色は黒以外でもよい。
【００４９】
ステップＳ８において、符号化／復号部２１は、静止画像変換動画像生成制御部４２の制御に従い、ステップＳ６またはステップＳ７の処理結果である静止画像を、動画像用の符号化方式（例えば、MPEG2方式）に従って符号化し、この結果得られる静止画像変換動画像の符号化データをディスクインタフェース２３に出力する。ステップＳ９において、ディスクインタフェース２３は、入力された静止画像変換動画像の符号化データをディスク５９に記録する。
【００５０】
ステップＳ１０において、静止画像変換動画像生成制御部４２は、パラメータｎが静止画像の総数Ｍと同数であるか否かを判定し、パラメータｎが静止画像の総数Ｍと同数ではないと判定した場合、処理はステップＳ１１に進み、パラメータｎを１だけインクリメントする。この後、処理はステップＳ４に戻り、それ以降の処理が繰り返される。
【００５１】
そして、ステップＳ１０において、パラメータｎが静止画像の総数Ｍと同数であると判定された場合、静止画像変換動画像生成処理が終了される。
【００５２】
以上説明した静止画像変換動画像生成処理によれば、ディスク５９には静止画像の符号化データが保持されたまま、それらに対応する静止画像変換動画像の符号化データが記録されることになる。したがって、このディスク５９を動画像専用の再生装置で再生した場合においても、記録されている静止画に相当する静止画像変換動画像を、元の静止画像のアスペクト比を崩すことなく表示させることができる。
【００５３】
なお、上述した静止画像変換動画像生成処理は、ディスク５９がDVD+RWではない場合においても同様に実行することができる。
【００５４】
また、本発明は、ビデオカメラのみならず、ビデオレコーダなどにも適用することが可能である。
【００５５】
本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００５６】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【００５７】
なお、本発明の実施の形態は、上述した実施の形態に限定されるものではなく、本発明の要旨を逸脱しない範囲において種々の変更が可能である。
【図面の簡単な説明】
【００５８】
【図１】本発明を適用したデジタルビデオカメラの構成例を示すブロック図である。
【図２】図１のデジタルビデオカメラによる静止画像変換動画像生成処理を説明するフローチャートである。
【図３】静止画像に付加される黒帯の位置を示す図である。
【符号の説明】
【００５９】
１  デジタルビデオカメラ，  １０  撮像部，  １１  光学ブロック，  １２  カメラ制御部，  １３  信号変換部，  １４  撮像信号処理部，  １５  音声入力部，  １６  音声信号処理部，  ２０  記録再生処理部，  ２１  符号化／復号部，  ２３  ディスクインタフェース，  ２４  出力処理部，  ２５  バッファメモリ，  ２７乃至２９  出力端子，  ３０  制御部，  ３１  CPU，  ３２  システムバス，  ３３  ROM，  ３４  RAM，  ３５  操作入力インタフェース，  ３６  表示制御部，  ３７  メモリカードインタフェース，  ３８  角速度検出部，  ３９  時計部，  ４０  フォーマット決定部，  ４１  アスペクト比設定部，  ４２  静止画像変換動画像生成制御部，  ５１  操作入力部，  ５２  表示部，  ５３  メモリカード，  ５９  ディスク
【図１】
2007180739.tif 000003
【図２】
2007180739.tif 000004
【図３】
2007180739.tif 000005